(57)【要約】【課題】カートリッジ内でトルマリンに水を噴射しなくても、０．３〜０．５Ｍｐａ程度の水圧でも水を十分、活性化することのできる活性水の製造方法、および活性水の製造装置を提供すること。【解決手段】活性水の製造装置１ｂでは、イオン交換樹脂を充填したイオン交換樹脂充填層１１０に処理対象水を通した後、この処理対象水をトルマリン結晶体を充填したトルマリン充填層１２０に通し、しかる後に、処理対象水を麦飯石充填層１３０に通す。トルマリン充填層１２０では、トルマリンとしてトルマリン結晶体を用いたため、横置きのカートリッジ１２内でトルマリンが静止した状態にあってもよい。【選択図】  図２
2007245053.tif 000002
【特許請求の範囲】
【請求項１】
イオン交換樹脂を充填したイオン交換樹脂充填層に処理対象水を通した後、当該処理対象水をトルマリンを充填したトルマリン充填層に通す活性水の製造方法において、
前記トルマリン充填層では、前記トルマリンとしてトルマリン結晶体を用いることを特徴とする活性水の製造方法。
【請求項２】
請求項１において、処理対象水を前記トルマリン充填層に通す際、当該トルマリン充填層で前記トルマリン結晶体が静止状態にあることを特徴とする活性水の製造方法。
【請求項３】
請求項１または２において、前記イオン交換樹脂充填層を通した後、前記トルマリン充填層を通す前後の少なくとも一方において、麦飯石を充填した麦飯石充填層に水を通すことを特徴とする活性水の製造方法。
【請求項４】
上流側から下流側に向かって、少なくとも、イオン交換樹脂を充填したイオン交換樹脂充填層と、トルマリンを充填したトルマリン充填層とが配置された活性水の製造装置において、
前記トルマリン充填層では、前記トルマリンとしてトルマリン結晶体が用いられていることを特徴とする活性水の製造装置。
【請求項５】
請求項４において、処理対象水が前記トルマリン充填層を通過する際、前記トルマリン結晶体が静止状態にあることを特徴とする活性水の製造装置。
【請求項６】
請求項４または５において、前記トルマリン充填層は、横置き状態のカートリッジ内に構成され、当該カートリッジ内の一方端から他方端に処理対象水が流れることを特徴とする活性水の製造装置。
【請求項７】
請求項４または５において、前記トルマリン充填層は、縦置き状態のカートリッジ内に構成され、当該カートリッジ内では上方から下方に処理対象水が流れることを特徴とする活性水の製造装置。
【請求項８】
請求項４または５において、前記トルマリン充填層は、縦置き状態のカートリッジ内に構成され、当該カートリッジ内では下方から上方に処理対象水が流れることを特徴とする活性水の製造装置。
【請求項９】
請求項４ないし８のいずれかにおいて、前記イオン交換樹脂充填層と前記トルマリン充填層との間、および前記トルマリン充填層の下流側の少なくとも一方に、麦飯石を充填した麦飯石充填層を備えていることを特徴とする活性水の製造装置。
【発明の詳細な説明】
【技術分野】
【０００１】
本発明は、洗浄機能や生体活動作用などの作用を付加あるいは向上させた活性水の製造方法、および当該活性水の製造装置に関するものである。
【背景技術】
【０００２】
水道水や井戸水などの原水に洗浄作用、殺菌作用、抗菌作用、生体活動向上作用などの作用を付加あるいは向上させた水は「活性水」として注目され、各種製造方法が提案されている。例えば、水をイオン交換樹脂層、トルマリンと金属片とを混合したイオン生成層を通過させる構成、さらには、黒曜石などといったマイナス電子を有する岩石層に通過させる構成が提案されており、かかる方法では、イオン交換樹脂層で水からＣａ2+やＭｇ2+やＦｅ2+等の金属イオンを除去して水を軟水化した後、イオン生成層でヒドロニウムイオン(Ｈ3Ｏ+)やヒドロキシルイオン(Ｈ3Ｏ2-)を発生させ、さらには、イオン生成層を通した水を、黒曜石などといったマイナス電子を有する岩石層に通し、ヒドロニウムイオンとヒドロキシルイオンをさらに発生させている(特許文献１、２参照)。
【０００３】
すなわち、粒状のトルマリン、あるいはトルマリンとセラミックスとの混合体からなるトルマリンペレットと、金属片とを攪拌可能な分量だけカートリッジの内部に収納した状態で、カートリッジ内で水を下方から上方に向けて噴射してトルマリンあるいはトルマリンペレットを攪拌することにより、トルマリンと水との間に摩擦を生じさせ、この摩擦により発生した電荷により、ヒドロニウムイオンとヒドロキシルイオンとを発生させる、というものである。
【特許文献１】特許第２８８９９０３号公報
【特許文献２】特許第３１７０１３２号公報
【発明の開示】
【発明が解決しようとする課題】
【０００４】
ここで、トルマリンは、環状ケイ酸塩に属する一群の化合物の総称であり、鉱山から産出される性格上、鉱山や産地によって、トルマリン鉱石に含まれるトルマリン結晶体の含有量が相違し、かつ、不純物も相違する。一方、トルマリンが電気石と称せられる理由は、結晶単位格子のプラス電荷中心とマイナス電荷中心とが本来位置すべき位置から大きくずれていることから、外部から圧力を加えた際、電荷が生じるからとされている。すなわち、トルマリンは結晶構造上、ｃ軸方向に沿って上下方向に対称性が存在しないことから圧電性および焦電性を有しており、トルマリンに電荷を生じさせるには、トルマリンに所定の圧力が加わる必要がある。
【０００５】
このため、トルマリンのうち、単なるトルマリン鉱石や、トルマリンとセラミックスとの混合体からなるトルマリンペレットでは、トルマリン結晶が他の材料中に分散しているので、圧電性および焦電性を十分に発揮できない状態にある。従って、トルマリンとして、単なるトルマリン鉱石や、トルマリンとセラミックスとの混合体からなるトルマリンペレットを用いた場合には、上記特許文献１、２に記載の技術のように、カートリッジ内で水を下方から上方に噴射させてトルマリン鉱石あるいはトルマリンペレットを攪拌させ、その圧力により、トルマリン鉱石あるいはトルマリンペレットに含まれるトルマリンに電荷を発生させる必要がある。
【０００６】
それ故、上記特許文献１、２に記載の構成では、トルマリン鉱石やトルマリンペレットを金属片とともに攪拌可能な分量だけカートリッジの内部に収納し、カートリッジ内に大きな空き空間を確保する必要がある。このため、カートリッジ内に収納できるトルマリン鉱石あるいはトルマリンペレットの量が少なく、ヒドロニウムイオンとヒドロキシルイオンの発生量が少ない。しかも、カートリッジ内でトルマリンが水の噴射で攪拌されるように、カートリッジを縦置き状態にしてカートリッジ内で下方から上方に処理対象水を噴射する構成しか採用できず、装置設計時の自由度が低いという問題点がある。また、トルマリン鉱石同士、あるいはトルマリンペレット同士が攪拌により衝突するため、トルマリン鉱石やトルマリンペレットが削れ易い。それ故、トルマリン鉱石やトルマリンペレットの消費が激しく、また、フィルタの目詰まりが発生しやすいという問題がある。
【０００７】
さらに、カートリッジ内でのトルマリン鉱石同士あるいはトルマリンペレット同士の衝突により異音が発生するという問題点もある。
【０００８】
さらにまた、トルマリン鉱石やトルマリンペレットにより発生するヒドロニウムイオンとヒドロキシルイオンの量が少ないため、特許文献２に開示の技術では、さらに岩石充填層を設け、この岩石充填層により、ヒドロニウムイオンやヒドロキシルイオンをさらに発生させる必要があるという問題点がある。
【０００９】
以上の問題点に鑑みて、本発明の課題は、カートリッジ内でトルマリンに水を噴射しなくても、０．３〜０．５Ｍｐａ程度の水圧でも水を十分、活性化することのできる活性水の製造方法、および活性水の製造装置を提供することにある。
【課題を解決するための手段】
【００１０】
上記課題を解決するために、本発明では、イオン交換樹脂を充填したイオン交換樹脂充填層に処理対象水を通した後、当該処理対象水をトルマリンを充填したトルマリン充填層に通す活性水の製造方法において、前記トルマリン充填層では、前記トルマリンとして、トルマリン結晶体を用いることを特徴とする。すなわち、本発明では、前記トルマリン充填層に用いるトルマリンは、単なるトルマリン鉱石ではなく、その全体あるいは大部分がトルマリン結晶体であることを特徴とする。
【００１１】
また、本発明では、上流側から下流側に向かって、少なくとも、イオン交換樹脂を充填したイオン交換樹脂充填層と、トルマリンを充填したトルマリン充填層とが配置された活性水の製造装置において、前記トルマリン充填層では、前記トルマリンとしてトルマリン結晶体が用いられていることを特徴とする。
【００１２】
本発明において、前記トルマリン充填層では、前記トルマリンとしてトルマリン結晶体を用いたため、水を噴射してトルマリンを攪拌させなくても、水を流した際の０．３〜０．５Ｍｐａ程度の水圧だけでもトルマリンに電荷を発生させ、水の活性化を行うことができる。このため、カートリッジ内には、トルマリンを静止した状態に充填すればよいので、カートリッジに無駄な空き空間を設ける必要がない。それ故、外径が数cmで長さが数十cmのカートリッジ内にトルマリンを例えば約３kgという十分な量を充填することができ、水を効率よく活性化することができる。また、カートリッジ内でトルマリン同士が衝突しないので、トルマリンが削れることがない。従って、トルマリンの消耗がなく、また、フィルタが目詰まりすることもない。さらに、カートリッジ内でのトルマリンが静止状態にあるので、トルマリン同士の衝突による異音の発生がない。さらにまた、トルマリンは、ヒドロニウムイオンやヒドロキシルイオンを効率よく発生させるため、黒曜石などといったマイナス電子を有する岩石層を追加しなくても、最大限のヒドロニウムイオンやヒドロキシルイオンを発生させることができる。しかも、処理対象水をイオン交換樹脂層に通してからトルマリン充填層に通すため、トルマリン充填層での活性化を効率よく行うことができる。
【００１３】
本発明では、処理対象水を前記トルマリン充填層に通す際、当該トルマリン充填層で前記トルマリン結晶体が静止状態にあることが好ましい。このように構成すると、カートリッジ内でトルマリン結晶体同士が衝突しないので、トルマリン結晶体が削れることがない。従って、トルマリン結晶体の消耗がなく、また、フィルタが目詰まりすることもない。さらに、カートリッジ内でのトルマリンが静止状態にあれば、トルマリン同士の衝突による異音の発生がない。なお、本発明において、「トルマリン結晶体が静止状態にある」とは、水圧で攪拌されていない状態を意味するものであり、完全な静止状態の他、わずかに変位する程度の状態は含む意味である。
【００１４】
本発明において、前記トルマリン充填層は、カートリッジ内に構成されていることが好ましい。この場合、前記カートリッジは横置き状態にある構成を採用することができ、当該カートリッジ内では、その一方端から他方端に処理対象水が流れる。また、前記カートリッジは縦置き状態にあり、かつ、当該カートリッジ内では上方から下方に処理対象水が流れる構成を採用することができる。すなわち、本発明において、前記トルマリン充填層では、前記トルマリンとしてトルマリン結晶体を用いたため、水を噴射してトルマリンを攪拌させなくても、水を流した際の水圧だけでトルマリンに電荷を発生させ、水の活性化を行うことができる。このため、カートリッジ内では、トルマリンが静止した状態にあってもよいので、カートリッジを縦置き状態にして当該カートリッジ内で下方から上方に処理対象水が流れる構成に限定されない。すなわち、本発明によれば、前記カートリッジを横置き状態にある構成、あるいは前記カートリッジが縦置き状態にあって当該カートリッジ内では上方から下方に処理対象水が流れる構成を採用することができる。これらの構成のうち、カートリッジを横置き状態とした場合には、配管とカートリッジの接続を楽な姿勢で行えるなど、縦置きの場合と比較してカートリッジの設置作業や交換作業が容易である。
【００１５】
さらに、本発明では、前記トルマリン充填層は、縦置き状態のカートリッジ内に構成され、当該カートリッジ内では下方から上方に処理対象水が流れる構成を採用してもよい。この場合も、処理対象水をカートリッジ内で噴射してトルマリンを攪拌させる必要はない。
【００１６】
本発明に係る活性水の製造方法では、前記イオン交換樹脂充填層を通した後、前記トルマリン充填層を通す前後の少なくとも一方において、麦飯石を充填した麦飯石充填層に水を通すことが好ましい。本発明に係る活性水の製造装置では、前記イオン交換樹脂充填層と前記トルマリン充填層との間、および前記トルマリン充填層の下流側に、麦飯石を充填した麦飯石充填層を備えていることが好ましい。麦飯石では無数の細孔が表面で開口しており、表面積が広い。それ故、処理対象水から残留塩素の一部を吸着し、不活性化する。また、麦飯石から種々のミネラル分が溶出するので、活性水をミネラル水として製造することができる。
【発明の効果】
【００１７】
本発明において、トルマリン充填層では、前記トルマリンとしてトルマリン結晶体を用いたため、水を噴射してトルマリンを攪拌させなくても、水を流した際の０．３〜０．５Ｍｐａ程度の水圧だけでもトルマリンに電荷を発生させ、水の活性化を行うことができる。このため、カートリッジ内には、トルマリンを静止した状態に充填すればよいので、カートリッジに無駄な空き空間を設ける必要がないので、外径が数cmで長さが数十cmのカートリッジ内にトルマリンを例えば約３kgという十分な量を充填することができ、水を効率よく活性化することができる。また、カートリッジ内でトルマリン同士が衝突しないので、トルマリンが削れることがない。従って、トルマリンの消耗がなく、また、フィルタが目詰まりすることもない。さらに、カートリッジ内でのトルマリンが静止状態にあるので、トルマリン同士の衝突による異音の発生がない。さらにまた、トルマリンは、ヒドロニウムイオンやヒドロキシルイオンを効率よく発生させるため、黒曜石などといったマイナス電子を有する岩石層を追加しなくても、最大限のヒドロニウムイオンやヒドロキシルイオンを発生させることができる。しかも、処理対象水をイオン交換樹脂層に通してからトルマリン充填層に通すため、トルマリン充填層での活性化を効率よく行うことができる。
【発明を実施するための最良の形態】
【００１８】
図面を参照して、本発明の実施の形態を説明する。
【００１９】
［実施の形態１］
図１(ａ)、(ｂ)は、本発明の実施の形態１に係る活性水の製造装置の概略構成を示す説明図、およびその変形例を示す説明図である。図１(ａ)に示すように、本形態に係る活性水の製造装置１ａは、上流側から下流側に向かって、イオン交換樹脂を充填したイオン交換樹脂充填層１１０を備えた軟水生成装置１０と、トルマリンを充填したトルマリン充填層１２０と、麦飯石を充填した麦飯石充填層１３０とが配置されている。
【００２０】
軟水生成装置１０では、イオン交換樹脂が縦置きの樹脂製のタンク１１内に充填されてイオン交換充填層１１０が構成されており、軟水生成装置１０には、イオン交換充填層１１０に対する逆洗浄装置(図示せず)も構成されている。
【００２１】
トルマリン充填層１２０では、トルマリンとして、トルマリン結晶体が縦置きのステンレス製のカートリッジ１２内に充填されている。ここで、トルマリン結晶体は、カートリッジ１２の内部全体に充填されており、カートッジ１２の入口および出口にはフィルタ(図示せず)が配置されている。
【００２２】
麦飯石充填層１３０では、麦飯石が縦置きのステンレス製のカートリッジ１３内に充填され、このカートッジ１３の入口および出口にはフィルタ(図示せず)が配置されている。
【００２３】
このような製造装置１ａを用いて活性水を製造する際には、まず、イオン交換樹脂を充填したイオン交換樹脂充填層１１０に処理対象水を通した後、この処理対象水をトルマリン結晶体を充填したトルマリン充填層１２０に通し、しかる後に、処理対象水を麦飯石充填層１３０に通す。
【００２４】
その際、イオン交換樹脂充填層１１０では、イオン交換樹脂が処理対象水に含まれているＣａ2+やＭｇ2+やＦｅ2+などの金属イオンが除去される。このようなイオン交換樹脂としては、強酸性カチオン交換樹脂を用いることができ、かかるイオン交換樹脂によれば、Ｃａ2+やＭｇ2+やＦｅ2+などの金属イオンを処理対象水から除去する一方、Ｎａ+を処理対象水に放出する。また、処理対象水(Ｈ2Ｏ)には、水酸化イオン(ＯＨ-)とヒドロニウムイオン(Ｈ3Ｏ+)とが発生する。
【００２５】
次に、トルマリン充填層１２０では、カートリッジ１２内を水が流れる際の水圧を０．３〜０．５Ｍｐａに設定することにより、トルマリン結晶体が電荷を発生させ、ヒドロニウムイオン(Ｈ3Ｏ+)を発生させる。また、トルマリン結晶体は、処理対象水を電気分解し、水の分子(クラスタ)を小さくする。ここで、処理対象水は、トルマリン充填層１２０を通過する際、トルマリン結晶体の能力を最大限、利用できる水圧に調整され、かつ、トルマリン結晶体がカートリッジ１２内の略全体に充填されているので、トルマリン結晶体は、概ね静止状態にある。
【００２６】
次に、麦飯石充填層１３０では、麦飯石が、イオン交換樹脂充填層１１０およびトルマリン充填層１２０を通過してきた処理対象水にミネラル分を溶出させる。
【００２７】
以上説明したように、本形態においては、処理対象水をトルマリン充填層１２０に通すため、得られた活性水は、界面活性作用を有するヒドロニウムイオンを多量に含んでいる。また、ヒドロニウムイオンの一部は、水と結びついてヒドロキシルイオン(Ｈ3Ｏ2-)と水素イオン(Ｈ+)になり、 このヒドロキシルイオンも、界面活性作用を有する。従って、かかる活性水を洗濯機、食器洗い機、浴槽の洗浄に用いれば、洗剤の使用量を１／１０以下に減らすことができる。また、本形態で得られた活性水では、洗浄作用の他、殺菌作用、抗菌作用、生体活動向上作用などの作用が高いのは、水のクラスタを小さくし、なおかつ、活性水素を含ませたためと考えられる。さらに飲用にも適している。
【００２８】
また、本形態において、トルマリン充填層１２０では、トルマリンとしてトルマリン結晶体を用いたため、水を噴射してトルマリンを攪拌させなくても、水を流した際の水圧を０．３〜０．５Ｍｐａに設定するだけでトルマリンに電荷を発生させ、水の活性化を行うことができる。このため、カートリッジ１２内には、トルマリンを静止した状態に充填すればよいため、カートリッジ１２内に無駄な空き空間を設ける必要がない。それ故、外径が数cmで長さが数十cmのカートリッジ内にトルマリンを例えば約３kgという十分な量を充填することができ、水を効率よく活性化することができる。また、カートリッジ１２内でトルマリン同士が衝突しないので、トルマリンが削れることがない。従って、トルマリンの消耗がなく、また、フィルタの目詰まりが発生しない。さらに、カートリッジ１２内でのトルマリンが静止状態にあるので、トルマリン同士の衝突による異音の発生がない。さらにまた、トルマリンは、ヒドロニウムイオンやヒドロキシルイオンを効率よく発生させるため、黒曜石などといったマイナス電子を有する岩石層を設けなくても、十分な量のヒドロニウムイオンやヒドロキシルイオンを発生させることができる。
【００２９】
しかも、処理対象水をイオン交換樹脂層１１０に通してからトルマリン充填層１２０に通すため、トルマリン充填層１２０での活性化を効率よく最大限、行うことができる。
【００３０】
さらに、イオン交換樹脂充填層１１０により処理対象水のミネラル分の一部をいったん除去した後、麦飯石充填層１３０が処理対象水にミネラル分を溶出させるため、原水のミネラル含有量にかかわらず、略一定のミネラル分を含む活性水を供給できる。しかも、麦飯石では無数の細孔が表面で開口しており、表面積が広いので、処理対象水から残留塩素の一部を吸着し、不活性化することができる。
【００３１】
さらにまた、本形態では、カートリッジ１２内では、トルマリンが静止した状態にあってもよいので、図１(ａ)に示すように、カートリッジ１２を縦置き状態にしてカートリッジ１２内で下方から上方に処理対象水が流れる構成に限らず、例えば、図１(ｂ)に示すように、カートリッジ１２が縦置き状態にあってこのカートリッジ１２内では上方から下方に処理対象水が流れる構成を採用することができ、このような構成を採用しても、トルマリン充填層１２０に用いたトルマリン結晶体が処理対象水を効率よく活性化させる。また、実施の形態２で後述するように、カートリッジ１２を横置き状態にある構成を採用してもよい。
【００３２】
［実施の形態２］
図２は、本発明の実施の形態２に係る活性水の製造装置の概略構成を示す説明図である。なお、本形態の基本的な構成は、実施の形態１と略同一であるため、共通する部分には同一の符号を付してそれらの説明を省略する。
【００３３】
図２に示すように、本形態に係る活性水の製造装置１ｂも、実施の形態１と同様、上流側から下流側に向かって、イオン交換樹脂を充填したイオン交換樹脂充填層１１０を備えた軟水生成装置１０と、トルマリンを充填したトルマリン充填層１２０と、麦飯石を充填した麦飯石充填層１３０とが配置されている。
【００３４】
軟水生成装置１０では、イオン交換樹脂が縦置きの樹脂製のタンク１１内に充填されてイオン交換充填層１１０が構成されており、軟水生成装置１０には、イオン交換充填層１１０に対する逆洗浄装置(図示せず)も構成されている。
【００３５】
本形態では、トルマリン充填層１２０が２段、直列に構成されており、２本の横置きのステンレス製のカートリッジ１２内の各々にトルマリン結晶体が充填されてトルマリン充填層１２０が構成されている。ここで、トルマリン結晶体は、外径が数cmで長さが数十cmの２本のカートリッジ１２に、１本当たり３kgずつ、内部全体に充填されており、カートッジ１２の入口および出口にはフィルタ(図示せず)が配置されている。
【００３６】
麦飯石充填層１３０では、麦飯石が横置きのステンレス製のカートリッジ１３内に充填され、このカートッジ１３の入口および出口にはフィルタ(図示せず)が配置されている。
【００３７】
このような製造装置１ａを用いて活性水を製造する際にも、まず、イオン交換樹脂を充填したイオン交換樹脂充填層１１０に処理対象水を通した後、この処理対象水をトルマリン結晶体を充填したトルマリン充填層１２０に通し、しかる後に、処理対象水を麦飯石充填層１３０に通す。本形態でも、処理対象水がトルマリン充填層１２０を通過する際、トルマリン結晶体の能力を最大限、利用できる水圧に調整され、かつ、トルマリン結晶体がカートリッジ１２内の略全体に充填されているので、トルマリン結晶体は、概ね静止状態にある。
【００３８】
このようにして活性水を得る場合でも、本形態では、トルマリン充填層１２０を構成するトルマリンとしてトルマリン結晶体を用いたため、水を噴射してトルマリンを攪拌させなくても、水を流した際の水圧を０．３〜０．５Ｍｐａに設定するだけでトルマリンに電荷を発生させ、水の活性化を行うことができる。このため、カートリッジ１２内には、トルマリンを静止した状態に充填すればよいため、カートリッジ１２内に無駄な空き空間を設ける必要がない。それ故、外径が数cmで長さが数十cmのカートリッジ１２内にトルマリンを例えば約３kgという十分な量を充填することができ、水を効率よく活性化することができるなど、実施の形態１と同様な効果を奏する。
【００３９】
また、本形態では、カートリッジ１２内では、トルマリンが静止した状態にあってもよいので、カートリッジ１２を横置き状態にある構成を採用した場合でも、トルマリン充填層１２０に用いたトルマリン結晶体が処理対象水を効率よく活性化させる。それ故、カートリッジ１２の配置に関しては装置を設計する際のレイアウト上の自由度が高い。しかも、カートリッジ１２、１３を横置きに配置すると、カートリッジ１２、１３を交換するための作業を行いやすいという利点がある。また、カートリッジ１２を横置き状態とした場合には、配管とカートリッジ１２の接続を楽な姿勢で行えるなど、縦置きの場合と比較してカートリッジ１２の設置作業や交換作業が容易である。
【００４０】
［他の実施の形態］
本発明に係る活性水の製造装置および製造方法としては、図３に示すように構成してもよい。すなわち、図３に示す活性水の製造装置１ｃでも、実施の形態１、２と同様、上流側から下流側に向かって、イオン交換樹脂を充填したイオン交換樹脂充填層１１０を備えた軟水生成装置１０と、トルマリンを充填したトルマリン充填層１２０と、麦飯石を充填した麦飯石充填層１３０とが配置されている。また、実施の形態２と同様、トルマリン充填層１２０が２段、直列に構成されており、２本の横置きのステンレス製のカートリッジ１２内の各々にトルマリン結晶体が充填されている。さらに、トルマリン充填層１２０と麦飯石充填層１３０との間には、トルマリンと水晶原石との混合体１４０を充填した横置きのステンレス製のカートリッジ１４が挿入されており、かかる混合体１４０を処理対象水が通過する際、水晶原石が水質を向上させる。また、混合体１４０を処理対象水が通過する際、混合体１４０が攪拌され、処理対象水に波動エネルギーが転写される。ここで、カートリッジ１４に水晶原石とともに充填されるトリマリンは、トルマリン結晶体、あるいはトルマリンとセラミックスとの混合体からなるトルマリンペレットのいずれであってもよい。また、トルマリンと水晶原石との混合体１４０を充填した層(カートリッジ１４)は、図１(ａ)、(ｂ)を参照して説明した構成に追加してもよい。
【００４１】
また、麦飯石充填層１３０については、イオン交換樹脂充填層１１０とトルマリン充填層１２０との間に配置してもよい。
【００４２】
さらに、１つのカートリッジ内にトルマリン充填層１２０と麦飯石充填層１３０とを１層ずつ、あるいは交互に複数層分、配置してもよい。その際、トルマリン結晶体は、水を噴射してトルマリンを攪拌させなくても、水を流した際の水圧を０．３〜０．５Ｍｐａに設定するだけで電荷を発生させ、水の活性化を行うことができるので、１つのカートリッジ内にトルマリン充填層１２０と麦飯石充填層１３０とを配置する際、カートリッジ内に無駄なスペースを設ける必要がない。
【００４３】
さらにまた、上記形態では、処理対象水がトルマリン充填層１２０を通過する際、トルマリン結晶体の能力を最大限、利用できる水圧に調整され、かつ、トルマリン結晶体がカートリッジ１２内の略全体に充填されているので、トルマリン結晶体は概ね静止状態にあったが、トルマリンとしてトルマリン結晶体を用い、かつ、水圧によりトルマリン結晶体が攪拌されるように構成することも可能である。
【図面の簡単な説明】
【００４４】
【図１】(ａ)、(ｂ)は、本発明の実施の形態１に係る活性水の製造装置およびその変形例の概略構成を示す説明図である。
【図２】本発明の実施の形態２に係る活性水の製造装置の概略構成を示す説明図である。
【図３】本発明の他の実施の形態に係る活性水の製造装置の概略構成を示す説明図である。
【符号の説明】
【００４５】
１ａ、１ｂ、１ｃ  活性水の製造装置
１０  軟水生成装置
１１  タンク
１２、１３、１４  カートリッジ
１１０  イオン交換樹脂充填層
１２０  トルマリン充填層
１３０  麦飯石充填層
１４０  混合体
【図１】
2007245053.tif 000003
【図２】
2007245053.tif 000004
【図３】
2007245053.tif 000005